(57)【要約】【課題】  携帯端末の使用者は、ガスコンロの周りの状態を認識することなく遠隔操作情報を送るため、遠隔操作情報でガスコンロが点火してしまうと、ガスコンロの周りにいた人に、ガスコンロが突然動いたように感じさせ、不安感を与えたり、危険感を与えたりすることなどがある。【解決手段】  加熱調理器の制御部は、加熱器を点火しろとの操作情報を受信した際、検知部により人を検知した場合には加熱部を消火の状態に維持させ、検知しない場合には、加熱部を点火させる。【選択図】図４
2020091083.tif 000002
【特許請求の範囲】
【請求項１】
少なくとも１つの加熱部を有する加熱調理器であって、
遠隔端末から送信された操作情報を受信できる受信部と、前記操作情報に基づいて加熱部を制御する制御部と、周囲にいる人を検知できる検知部とを備え、
前記制御部は、前記操作情報を受信した際、前記検知部により人を検知した場合には第１の制御を行い、検知しない場合には、第１の制御とは異なる第２の制御を行うことを特徴とする加熱調理器。
【請求項２】
操作情報が加熱部の点火である場合には、第１の制御は、加熱部を消火状態に維持することであり、第２の制御は、前記加熱部を点火させることであることを特徴とする請求項１に記載の加熱調理器。
【請求項３】
制御部は、第１の制御をすると共に、第１の音声を発生させることを特徴とする請求項２に記載の加熱調理器。
【請求項４】
操作情報が加熱部の火力を弱めるである場合には、制御部は、加熱部の火力を弱める第３の制御を行うことを特徴とする請求項２又は３に記載の加熱調理器。
【請求項５】
制御部は、検知部により人を検知した後、所定時間内に人を検知しなくなった場合には、第２の制御を行うことを特徴とする請求項２から４のいずれかに記載の加熱調理器。
【請求項６】
制御部は、第２の制御を実施している間に、検知部により人を検知した場合には、近づいてくるか否かを判断し、近づいてくると判断した場合には、第１の音声とは異なる第２の音声を発生させることを特徴とする請求項２から５のいずれかに記載の加熱調理器。
【発明の詳細な説明】
【技術分野】
【０００１】
本発明は、外部との通信機能を有する加熱調理器に関するものである。
【背景技術】
【０００２】
情報技術の発達に伴い、家電機器が通信機能を有し、使用者がスマートホン等の携帯端末から遠隔操作情報を送信し、家電機器を制御するものが実用化されている。
例えば、特許文献１には、スマートホンの画面上に、ガスコンロの操作表示に対応する選択画面を表示させ、使用者が調理種別や焼き加減などを選択した後に、画面に表示された点火キーを押すことで、点火の遠隔操作情報がガスコンロに送信され、ガスコンロが実際に点火する技術が開示されている。
【先行技術文献】
【特許文献】
【０００３】
【特許文献１】特開２０１４−１６３５３９号
【発明の概要】
【発明が解決しようとする課題】
【０００４】
このような遠隔操作では、携帯端末の使用者は、ガスコンロの周りの状態を認識することなく遠隔操作情報を送るため、遠隔操作情報でガスコンロが点火してしまうと、例えば、ガスコンロの周りにいた人に、ガスコンロが突然動いたように感じさせ、不安感を与えたり、危険感を与えたりすることなどがある。
【０００５】
本発明は、上記課題を解決するためになされたもので、外部からの操作が可能な加熱調理器の周囲にいる人に不安感、危険感を与えることなく、遠隔操作をすることができる加熱調理器を提供することを目的としている。
【課題を解決するための手段】
【０００６】
加熱調理器の制御部は、検知部にて得られた周囲の状況に基づき、人がいるか否かを検知し、人がいる場合には、遠隔端末から点火する操作情報を受信しても、点火処理をしない。
【発明の効果】
【０００７】
本発明によれば、加熱調理器の周りに人がいるか否かを検知し、人がいる場合には、点火の操作情報を受信しても、点火させることがないので、周囲にいる人に不安感、危険感を与えることがなく、安全性と使用性を担保することができる。
【図面の簡単な説明】
【０００８】
【図１】本発明の実施の形態１に係る遠隔端末と加熱調理器とのシステムの構成を模式的に示す図である。
【図２】本発明の実施の形態１に係る加熱調理器の斜視図である。
【図３】本発明の実施の形態１に係る加熱調理器を示す機能ブロック図である。
【図４】本発明の実施の形態１に係る外部からの操作情報を受信した際の制御を示すフローチャートである。
【図５】本発明の実施の形態２に係る加熱調理器の斜視図である。
【図６】本発明の実施の形態２に係る外部からの操作情報を受信した際の制御を示すフローチャートである。
【図７】本発明の実施の形態３に係る外部からの操作情報を受信した際の制御を示すフローチャートである。
【図８】本発明の実施の形態４に係る加熱調理器の周囲に人が近づいた際の制御を示すフローチャートである。
【発明を実施するための形態】
【０００９】
実施の形態１．
以下、本発明の実施の形態１を、図１〜図４に基づき説明する。
図１は、本発明の実施の形態１に係る遠隔端末と加熱調理器とのシステムの構成を模式的に示す図である。
家内には、家電機器として、加熱調理器１００と照明機器２００が設置されている。これら家電機器は、ｗｉ−ｆｉで情報の送受信をできる通信機能を備えている。また、１階、２階には、それぞれ、スマートスピーカ３００が置かれている。スマートスピーカ３００も、ｗｉ−ｆｉで電波の送受信をできる通信機能を備えるとともに、人間の音声を分析し、対応する家電機器を動作させる操作情報を生成する機能を有している。
例えば、使用者が「２階の照明をつけて」と言うと、スマートスピーカ３００が、その音声を分析し、２階の照明機器固有の識別信号が付加された照明点灯するための操作情報を生成して、ｗｉ−ｆｉ電波で送信、照明機器２００は、ｗｉ−ｆｉ電波を受信し、識別信号により自分に向けた照明点灯の操作であることを識別し、点灯するなどの処理が行われることになる。
【００１０】
次に、加熱調理器１００の構成につき、図２の斜視図、及び図３の機能ブロック図に基づき説明する。
加熱調理器１００は、鍋などの被加熱物を加熱する第１の加熱部１、第２の加熱部２、及び第３の加熱部３を備える。第１の加熱部１、及び第２の加熱部２は、円環状の誘導加熱コイルであり、第３の加熱部３は、ラジエントヒータである。
【００１１】
また、第１の加熱部１、第２の加熱部２、第３の加熱部３は、結晶化ガラス板で形成された平板状の天板４で覆われている。さらに、加熱調理器１００は、外郭を構成する箱状の本体ケース５を備えており、本体ケース５の上面に設けた枠状の金属フレームが、天板４の周囲が覆うように配置されることで、天板４が本体ケース５に固定されている。この構成では、例えば、第１の加熱部１に相当する部分の天板４の上に、鍋などを置き、操作部６に配置された点火スイッチを押すことで、誘導加熱コイルからの電磁波により鍋が加熱され、内部の被加熱物に熱が伝わることになる。
【００１２】
また、加熱調理器１００の本体側前面には、加熱調理器１００の周囲に人がいることを検知する検知部７と、ｗｉ−ｆｉによる電波の送受信ができる受信部８が設けられている。
検知部７は、人が発する熱を検知するセンサであり、形状を特定することで人か否かを判断することができ、加熱調理器１００が電源オンの状態では、常に動作している。また、検知できる範囲は、加熱調理器１の前面側で、おおむね半径３ｍ以内である。    
また、第１の加熱部１、第２の加熱部２、第３の加熱部３、操作部６、検知部７、受信部８は制御部９に接続され、制御部９がそれぞれから信号を受信、及びそれぞれに信号を送信することで、全体の動作を制御している。また、制御部９は内部に音声を発生させる音声発生機能を有しており、警報ブザーの鳴動や音声ガイダンスなどを行うことができる。
【００１３】
次に、スマートスピーカ３００を用いて、加熱調理器１００の第１の加熱部１を点火させる動作について、図４に基づいて説明する。なお、加熱調理器１００は常時電源がオン状態になっているものとする。
ここで、使用者が、野菜や肉などの被加熱物を入れた鍋をあらかじめ第１の加熱部１の上に置いておくが、まだ加熱には早いので、２階で仕事をしている場合などを想定している。夕方、そろそろ加熱を開始しようとした使用者が、２階のスマートスピーカ３００に向かって、「第１の加熱部を点火して」との命令を発し、この音声をスマートスピーカ３００は受信する（Ｓ１）。
スマートスピーカ３００は、この音声を解析し、加熱調理器１００の第１の加熱部１を点火するという特定フォーマットの操作情報を生成し、ｗｉ-ｆｉの無線にて送信する（Ｓ２）。
加熱調理器１００では、受信部８がこの無線を受信し、操作情報を制御部９に送る（Ｓ３）。
制御部９は、この操作情報を解析し、第１の加熱部１を点火する操作であることを認識した後、検知部７から送られた検知信号に基づき、人がいるか否かを判断する（Ｓ４）
Ｓ４で、人がいないと判断した場合には、次に、第１の加熱部１の上に鍋などが置いてあるか否かを、第１の加熱部１に内蔵のセンサ等で検知し、置いてある場合には、第１の加熱部１を点火する（Ｓ５）。なお、この動作は、例えば、操作部６にて、第１の加熱部１の点火スイッチを押したものと同じ動きである。
また、Ｓ４で、人がいると判断した場合には、第１の加熱部１の点火は実施せずに消火の状態を維持させ、音声で「周囲に人がいるため遠隔操作を無効にしました」と発する（Ｓ６）。
【００１４】
このように、実施の形態１では、加熱調理器１００の周りに人がいる場合には、遠隔で点火の操作情報を受けても点火動作をしないので、いきなり点火して、周りにいる人に不安感を与えたり、危険感を与えたりすることがない。
【００１５】
なお、ここでは、加熱調理器１が音声で「周囲に人がいるため遠隔操作を無効にしました」と発するようにしたが、例えば、この音声に対応した操作情報を制御部９が生成し、これを、スマートスピーカ３００に送信し、スマートスピーカ３００がこれを音声で発するようにしてもよい。
【００１６】
また、制御部９に、あらかじめ遠隔操作での点火を許すか否かの設定をしておくことも可能である。例えば、遠隔からの点火を受け付けない設定になっている場合には、制御部９は、Ｓ４で第１の加熱部１を点火する操作であることを認識するだけで、その後の制御を一切実施しないことになる。
【００１７】
実施の形態２．
スマートスピーカ３００から、点火の操作情報の他に、火力を下げるという操作情報を送信されてくる場合も想定でき、実施の形態２は、その制御を加えたものである。
図５は、実施の形態２における加熱調理器の斜視図、図６は、外部からの操作情報を受信した際の制御を示すフローチャートである。
図５では、第３の加熱部３が存在していない以外は、図２に記載した加熱調理器と相違する点はない。
【００１８】
まず、使用者が、スマートスピーカ３００に向かって、「第１の加熱部を点火して」、或いは「第１の加熱部を下げて」との命令を発し、この音声をスマートスピーカ３００は受信する（Ｓ１１）。
スマートスピーカ３００は、この音声を解析し、対応する特定フォーマットの操作情報を生成し、ｗｉ-ｆｉの無線にて送信する（Ｓ１２）。
加熱調理器１００では、受信部８がこの無線を受信し、操作情報を制御部９に送る（Ｓ１３）。
制御部９は、まず、この操作情報を解析し、点火操作なのか、火力を弱める操作なのかを判断する（Ｓ１４）。
Ｓ１４で、火力を弱める命令である場合には、無条件にそれを実行する（Ｓ１５）。また、点火する操作である場合には、図４のＳ４〜Ｓ６に相当する制御を実行する。
【００１９】
火力を下げる制御は、すでに点火がなされている状態であるので、周囲にいる人に不安感や恐怖感を与えることが少ない。それよりも、例えば、緊急時に火力を下げる必要がある場合もあるので、火力を下げるに関しては、周囲に人がいるか否かに関係なく実施するようにしたものである。
【００２０】
実施の形態３．
図８は、この発明の実施の形態３の外部からの操作情報を受信した際の制御を示すフローチャートであり、点火の操作情報を受信した後に、制御部９での動作が、図５に示したフローチャートと異なる。
【００２１】
まず、使用者が、スマートスピーカ３００に向かって、「第１の加熱部を点火して」との命令を発し、この音声をスマートスピーカ３００は受信する（Ｓ１）。
スマートスピーカ３００は、この音声を解析し、加熱調理器１００の第１の加熱部１を点火するという特定フォーマットの操作情報を生成し、ｗｉ-ｆｉの無線にて送信する（Ｓ２）。
加熱調理器１００では、受信部８がこの無線を受信し、操作情報を制御部９に送る（Ｓ３）。
制御部９は、この操作情報を解析し、第１の加熱部１を点火する操作であることを認識した後、検知部７から送られた検知信号に基づき、人がいるか否かを判断する（Ｓ４）。
Ｓ４で、人がいないと判断した場合には、次に、第１の加熱部１の上に鍋などが置いてあるか否かを、第１の加熱部１に内蔵のセンサ等で検知し、置いてある場合には、第１の加熱部１を点火する（Ｓ５）。
Ｓ４で、周囲に人がいると判断した場合には、その操作情報を保持し（Ｓ２１）、所定時間（例えば、５分）経過するまで待つ。具体的には、制御部９は内部に計時テーブルを生成し、時間をカウントアップ、その際に、周囲に人がいるかの判断（Ｓ２２）、及び、所定時間が経過したかの判断（Ｓ２３）を繰り返す。Ｓ２２で、人がいないと判断された場合、すなわち、周囲から人が去った場合には、Ｓ５で第１の加熱部１を点火する、また、所定時間経過しても人が去らない場合には、Ｓ６の動作に移行する。
【００２２】
加熱調理器１００は台所にあり、冷蔵庫からものをとるためになど、たまたま加熱調理器１００の近くにいただけで、短期間にいなくなってしまうことも多いため、所定時間待つようにすれば、使用者の要望にあった動作をする可能性が高くなり、利便性が増すことになる。
【００２３】
実施の形態４．
実施の形態１〜３では、人が加熱調理器１００の周囲にいる場合に、点火をしないようにしたことで、周囲にいる人の不安感、恐怖感を与えないようにしている。
しかし、例えば、点火後に加熱調理器１００の近くに人が来た際、加熱調理器１００が点火していることに気が付くと、なぜ、誰もいなかったのに点火されているのか、不審に思う場合がある。実施の形態４では、図５、７、８で、加熱部の点火をさせた後、加熱調理器１００に人が近づいてきた場合の制御を示すフローチャートである。
【００２４】
図５、７、８でＳ５を実施した後、制御部９は、検知部７からの情報に基づき、人が近づいてきたか否かを継続して判断する（Ｓ３１）。
Ｓ３１で、人が近づいてきたと判断した場合には、制御部９は、音声で「スマートスピーカからの命令により加熱調理中」と発する（Ｓ３２）。
なお、単に検知部７で人が検知された場合ではなく、人が近づいてくるかを判断し、近づいてきた場合にのみ、音声で知らせるようにしたのは、近づいてきた人は、点火されたことを不審に思い、確かめるために近づいてきたと想定できるからである。
このようにすることで、点火に不審を持った人の不審感を払拭することができる。
【００２５】
実施の形態１から４では、スマートスピーカで説明したが、使用者からの命令を受け付けるものであれば、スマートホンやパソコン等であってもよい。
また、加熱調理器も、誘導加熱ではなく、電熱線で加熱するものや、ガスコンロ等であってもよい。
【産業上の利用可能性】
【００２６】
本発明は、外部からの操作で動作する加熱調理器に広く適用することが可能である。
【符号の説明】
【００２７】
１  第１の加熱部、２  第２の加熱部、３  第３の加熱部、４  天板、
５  本体ケース、６  操作部、７  検知部、８  受信部、９  制御部、
１００  加熱調理器、２００  照明装置、３００  スマートスピーカ
【図１】
2020091083.tif 000003
【図２】
2020091083.tif 000004
【図３】
2020091083.tif 000005
【図４】
2020091083.tif 000006
【図５】
2020091083.tif 000007
【図６】
2020091083.tif 000008
【図７】
2020091083.tif 000009
【図８】
2020091083.tif 000010